(57)【要約】【課題】記録媒体の処理効率を高め易い記録媒体処理装置を提供する。【解決手段】上流側から第１姿勢で且つ単列状で供給される記録媒体２を、第１姿勢と交差する第２姿勢で且つ複列状にして、下流側に手渡すペーパー振り分け機構ＣＲが、左右一対の挟持ユニット２２と、各挟持ユニット２２を幅方向に移動操作するためのシフト機構２１と、各挟持ユニット２２を、第１軸心Ｘｂ回りで第１姿勢と第２姿勢の間で回動操作する姿勢反転機構とを備え、姿勢反転機構の第１軸心の位置を、第１姿勢にある挟持ユニット２２が挟持する記録媒体２の平面が第２姿勢にある挟持ユニット２２と干渉せず、第２姿勢にある挟持ユニット２２が挟持する記録媒体２の平面が第１姿勢にある挟持ユニットと干渉しないように配置した。【選択図】図４
2010037039.tif 000002
【特許請求の範囲】
【請求項１】
上流側から第１姿勢で且つ単列状で供給される記録媒体を、前記第１姿勢と交差する第２姿勢で且つ複列状にして、下流側に手渡すペーパー振り分け機構を備え、
前記ペーパー振り分け機構が、上流側から供給される記録媒体を挟持可能な左右一対の挟持ユニットと、各挟持ユニットを記録媒体の幅方向に移動操作するためのシフト機構と、各挟持ユニットを、記録媒体の幅方向と平行な第１軸心回りで前記第１姿勢と前記第２姿勢の間で回動操作する姿勢反転機構とを備えている記録媒体処理装置であって、
前記姿勢反転機構の前記第１軸心の位置は、前記第１姿勢にある前記挟持ユニットによって挟持された記録媒体を含む平面が、前記第２姿勢にある前記挟持ユニットと干渉せず、且つ、前記第２姿勢にある前記挟持ユニットによって挟持された記録媒体を含む平面が、前記第１姿勢にある前記挟持ユニットと干渉しないように配置されている記録媒体処理装置。
【請求項２】
前記各挟持ユニットは、駆動源によって前記第１軸心と平行な第２軸心回りで駆動操作される駆動ローラと、前記駆動ローラと共にローラ対を構成しつつ、記録媒体を前記駆動ローラに押し付ける圧着位置と、前記駆動ローラから引き離された圧着解除位置との間で変位可能に支持された圧着ローラと、前記圧着ローラを前記圧着位置と前記圧着解除位置との間で移動操作する切換操作機構とを備え、
前記切換操作機構として、前記駆動ローラと共通の駆動源によって回動操作されるカム部材が備えられ、
前記カム部材に、前記圧着ローラを前記圧着位置に保持する第１カム面と、前記圧着ローラを前記圧着解除位置に保持する第２カム面とが設けられており、
前記圧着位置に保持された前記圧着ローラによって挟持中の記録媒体が前記駆動ローラによって搬送される請求項１に記載の記録媒体処理装置。
【請求項３】
前記姿勢反転機構は、前記駆動ローラ及び前記カム部材と共通の前記駆動源を用いて前記挟持ユニットを回動操作する請求項２に記載の記録媒体処理装置。
【請求項４】
前記姿勢反転機構による前記挟持ユニットの前記第２姿勢への回動操作後、前記駆動源の反転操作に基づいて、前記挟持ユニットが前記第２姿勢に保持されたままで、前記駆動ローラの逆転が実施されるように構成されている請求項３に記載の記録媒体処理装置。
【発明の詳細な説明】
【技術分野】
【０００１】
本発明は、上流側から第１姿勢で且つ単列状で供給される記録媒体を、前記第１姿勢と交差する第２姿勢で且つ複列状にして、下流側に手渡すペーパー振り分け機構を備え、前記ペーパー振り分け機構が、上流側から供給される記録媒体を挟持可能な左右一対の挟持ユニットと、各挟持ユニットを記録媒体の幅方向に移動操作するためのシフト機構と、各挟持ユニットを、記録媒体の幅方向と平行な第１軸心回りで前記第１姿勢と前記第２姿勢の間で回動操作する姿勢反転機構とを備えた記録媒体処理装置に関する。
【背景技術】
【０００２】
この種の記録媒体処理装置に関連する先行技術文献情報として下記に示す特許文献１がある。この特許文献１に記された記録媒体処理装置では、駆動ローラと圧着ローラを備えた一対の挟持ユニットが、横向きタイミングベルトによって左右に移動操作可能に設けられている。各挟持ユニットは、左右の中央位置で露光部から受け取った記録媒体を挟持後に、左右のいずれかにシフトされつつ縦向きタイミングベルトによって上方に移動操作される。この上方に移動操作の初期に、駆動ローラと圧着ローラからなるローラ対は、それ迄の、筐体に固定された板状操作部材による強制姿勢から解放されて、記録媒体が上下に延びた第２姿勢へと付勢手段によって約９０°反転されつつ上昇していく。
【０００３】
【特許文献１】特開平１１−３５２６６２号公報（段落番号００２３、図２、図６）
【発明の開示】
【発明が解決しようとする課題】
【０００４】
しかし、特許文献１に記された記録媒体処理装置では、第１姿勢にある一方の挟持ユニットと第２姿勢にある他方の挟持ユニットとは、各ローラ対どうしが記録媒体の幅方向で干渉するような関係にあったので、仮に、反転機構をモータ駆動による自由な構成に変更した場合でも、一方の挟持ユニットが記録媒体を挟持した状態で受け取り位置にある間は、特に記録媒体が大判の場合、他方の挟持ユニットを受け取り位置に近接した準備位置に配置させることができないため、処理効率の向上を阻む要因となっていた。
【０００５】
そこで、本発明の目的は、上に例示した従来技術による記録媒体処理装置の持つ欠点に鑑み、記録媒体の処理効率を高め易い記録媒体処理装置を提供することにある。
【課題を解決するための手段】
【０００６】
本発明による記録媒体処理装置の第１の特徴構成は、
上流側から第１姿勢で且つ単列状で供給される記録媒体を、前記第１姿勢と交差する第２姿勢で且つ複列状にして、下流側に手渡すペーパー振り分け機構を備え、
前記ペーパー振り分け機構が、上流側から供給される記録媒体を挟持可能な左右一対の挟持ユニットと、各挟持ユニットを記録媒体の幅方向に移動操作するためのシフト機構と、各挟持ユニットを、記録媒体の幅方向と平行な第１軸心回りで前記第１姿勢と前記第２姿勢の間で回動操作する姿勢反転機構とを備えている記録媒体処理装置であって、
前記姿勢反転機構の前記第１軸心の位置は、前記第１姿勢にある前記挟持ユニットによって挟持された記録媒体を含む平面が、前記第２姿勢にある前記挟持ユニットと干渉せず、且つ、前記第２姿勢にある前記挟持ユニットによって挟持された記録媒体を含む平面が、前記第１姿勢にある前記挟持ユニットと干渉しないように配置されている点にある。
【０００７】
本発明の第１の特徴構成による記録媒体処理装置では、たとえ記録媒体が大判の場合であっても、未だ左右いずれかの振り分け位置で第２姿勢にある一方の搬送ユニットが記録媒体を挟持中の間に、第１姿勢にある他方の搬送ユニットを、中央寄りの受け取り位置（挟持中の記録媒体と他方の搬送ユニットのローラ対とが、記録媒体の搬送方向に沿って重なり合う）に待機させることができるので、記録媒体の処理効率が高められる。
同様に、本構成であれば、記録媒体の送り出しを完了した第２姿勢にある一方の搬送ユニットが未だ左右いずれかの振り分け位置の間に、中央寄りの受け取り位置で待機中の他方の搬送ユニットに記録媒体を供給することができるので、記録媒体の処理効率が高められる。
【０００８】
本発明の他の特徴構成は、前記各挟持ユニットは、駆動源によって前記第１軸心と平行な第２軸心回りで駆動操作される駆動ローラと、前記駆動ローラと共にローラ対を構成しつつ、記録媒体を前記駆動ローラに押し付ける圧着位置と、前記駆動ローラから引き離された圧着解除位置との間で変位可能に支持された圧着ローラと、前記圧着ローラを前記圧着位置と前記圧着解除位置との間で移動操作する切換操作機構とを備え、
前記切換操作機構として、前記駆動ローラと共通の駆動源によって回動操作されるカム部材が備えられ、
前記カム部材に、前記圧着ローラを前記圧着位置に保持する第１カム面と、前記圧着ローラを前記圧着解除位置に保持する第２カム面とが設けられており、
前記圧着位置に保持された前記圧着ローラによって挟持中の記録媒体が前記駆動ローラによって搬送される点にある。
【０００９】
本構成であれば、駆動ローラを回転駆動操作する駆動源と、圧着ローラを圧着位置と圧着解除位置との間で移動操作する駆動源とを、単一の共通のモータで構成することができるので、搭載するモータの個数が少なくて済む。すなわち、共通のモータによってカム部材の第２カム面が作用している間は、圧着ローラが駆動ローラから離間保持されることで記録媒体を受け入れ可能となり、カム部材の第１カム面が作用する状態に切り替えられると、圧着ローラによる記録媒体の挟持が実現すると同時に、共通のモータによる駆動ローラを介した記録媒体の搬送が実現する。
【００１０】
本発明の他の特徴構成は、前記姿勢反転機構は、前記駆動ローラ及び前記カム部材と共通の前記駆動源を用いて前記挟持ユニットを回動操作する点にある。
【００１１】
本構成であれば、記録媒体を上流側から受け取るための第１姿勢と、記録媒体を下流側搬送経路に送り出すための第２姿勢の間で搬送ユニットを回動操作する姿勢反転機構に対しても、専用のモータを設けず、駆動ローラの回転駆動操作用と圧着ローラの移動操作用の共通のモータで兼務させることができる。
【００１２】
本発明の他の特徴構成は、前記姿勢反転機構による前記挟持ユニットの前記第２姿勢への回動操作後、前記駆動源の反転操作に基づいて、前記挟持ユニットが前記第２姿勢に保持されたままで、前記駆動ローラの逆転が実施されるように構成されている点にある。
【００１３】
本構成であれば、駆動源を逆転操作することで、搬送ユニットを第２姿勢に保持したまま、記録媒体を駆動ローラによって下流側搬送経路に確実に送り出すことができる。
【発明を実施するための最良の形態】
【００１４】
以下に本発明による最良の実施形態について図面を参照しながら説明する。
図１は、本発明による記録媒体処理装置の一例としての写真プリント装置を示す。
この写真プリント装置は、画像処理部Ａとプリント処理部Ｂとを備え、現像済みの写真フィルムまたはメモリカードなどに担持された画像情報に基づいて銀塩式の写真プリントを出力する。
（画像処理部Ａの構成）
画像処理部Ａは、写真フィルム１の各画像駒の画像情報をＲ、Ｇ、Ｂの３原色に色分解し、デジタル信号化して取り込む機能の他に、メモリカードなどから画像データを取り込む機能をも有する。プリント処理部Ｂは、画像処理部Ａから送られる画像情報に基づいて印画紙２（記録媒体の一例）に露光操作を行い、現像処理して写真プリントとして出力する。
【００１５】
より具体的には、画像処理部Ａは写真フィルム１の各画像駒の画像データを取り込むスキャナー３と、取り込んだ画像データに基づく画像イメージやその他の必要な情報を表示するモニター４とを備え、テーブル５の上面には各種の情報を入力するための操作卓６を備え、テーブル５の下方には汎用コンピュータからなる処理装置７を備えている。処理装置７はマイクロプロセッサ、データを記憶するメモリ、データを保存するハードディスク等を内蔵し、さらに、メモリカードなから画像データを取り込むメディアリーダ８を備えている。
【００１６】
（プリント処理部Ｂの構成）
プリント処理部Ｂは、印画紙マガジンＭから供給される印画紙２に露光処理を行って送り出す露光処理部ＥＸと、この露光処理部ＥＸから送られる印画紙２の現像処理を行うための複数の現像処理槽からなる現像処理部ＤＥと、この現像処理部ＤＥで現像処理された印画紙２を乾燥して送り出す乾燥部ＤＲとを備えている。
また、露光処理部ＥＸと現像処理部ＤＥとの間には、露光処理部ＥＸから１列状の水平姿勢で排出される印画紙２を、左右２列状に振り分けた状態で、略鉛直姿勢で露光処理部ＥＸの上方に位置する現像処理部ＤＥの導入部まで送り出すための振り分け処理部ＤＢが設けられている。
【００１７】
（露光処理部ＥＸの構成）
露光処理部ＥＸは、ロール状の印画紙２を収めた印画紙マガジンＭと、この印画紙マガジンＭから印画紙２を引き出し、プリントサイズに切断して水平方向に送る横搬送装置ＣＨと、この横搬送装置ＣＨからの印画紙２を水平方向に送りながら主走査方向にライン露光を行う露光装置Ｅｍとを備えている。
【００１８】
（横搬送装置ＣＨの構成）
図２に示すように、横搬送装置ＣＨは、印画紙マガジンＭから引き出された印画紙２を搬送するローラ対１１と、この印画紙２を所定の送り長さに切断するカッター１２と、このカッター１２で切断された印画紙２をチャッキングして、露光装置Ｅｍに向けて水平方向に送る露光前露光間チャッカー１３とを備えている。
【００１９】
（露光装置Ｅｍの構成）
露光装置Ｅｍは、横搬送装置ＣＨの露光間チャッカー１３によって供給される印画紙２を受け入れる搬入ローラ１５と、搬入ローラ１５がさらに紙面の左向きに送り込む印画紙２に対してレーザ光による走査露光を行う露光エンジン１６と、この露光エンジン１６の光出射部を基準にして印画紙２の搬送上手側と搬送下手側とに配置された２組の露光ローラ対１７，１８とを備えている。
各露光ローラ対１７，１８は、ステッピングモータ（不図示）によって一定速度で回転駆動される固定ローラ１７と、この固定ローラ１７に対して圧着する圧着姿勢と、固定ローラ１７から離間する離間姿勢との間で個々に切換え可能な２つの圧着ローラ１８とからなる。この露光装置Ｅｍでは、２組の露光ローラ対１７，１８のうちの少なくとも一方の露光ローラ対１７，１８（上流側の組または下流側の組）で印画紙２を圧着し、予め設定された速度で副走査方向に搬送すると同時に露光エンジン１６によって主走査方向への露光を行うよう露光の処理形態が設定されている。
【００２０】
（振り分け処理部ＤＢの構成）
図１に示すように、振り分け処理部ＤＢは、振り分け反転装置ＣＲと縦搬送装置ＣＶとからなる。
振り分け反転装置ＣＲ（ペーパー振り分け機構）は、露光装置Ｅｍから１列状に供給された印画紙２を、印画紙２の幅方向に離間した左右２列状に振り分け、同時に、印画紙２の向きも上下方向となるように約９０°反転させて縦搬送装置ＣＶに送り出す。
縦搬送装置ＣＶは、振り分け反転装置ＣＲから左右２列状で排出される印画紙２を、連続的に略鉛直姿勢で、露光処理部ＥＸの上方に位置する現像処理部ＤＥの導入部まで搬送する。
【００２１】
（振り分け反転装置ＣＲの構成）
振り分け反転装置ＣＲは、本発明に係る記録媒体処理装置を構成しており、図３（ａ）に模式的に示すように、印画紙２の幅方向に延設された一対のレール１９上に摺動可能に支持された左右一対の搬送ユニット２０を備える。各搬送ユニット２０は、パルスモータＭ１とタイミングプーリ２１Ｐとタイミングベルト２１Ｂとからなる駆動機構２１（シフト機構の一例）によって、レール１９上を左右に移動操作可能に構成されている。
【００２２】
搬送ユニット２０は、レール１９上に支持されたブラケット２０ａと、ブラケット２０ａの上方に配置された横向き軸心Ｘｂ（第１軸心）回りで回動可能に設けられた把持筐体２２（挟持ユニットの一例）とを備える。但し、後述するように、ブラケット２０ａと把持筐体２２の間には把持筐体２２の自由な回動を規制する摩擦式制動機構（不図示）が介装されている。
各搬送ユニット２０は、各々に付随する駆動機構２１によって、レール１９上の両端にある退避位置と、最も中央寄りの受け取り位置と、退避位置と受け取り位置との中間の振り分け位置との間で往復移動可能に構成されている。
【００２３】
把持筐体２２には、水平な軸心回りで駆動操作される駆動ローラ２３ａ及び圧着ローラ２３ｂ、圧着ローラ２３ｂを、印画紙２を駆動ローラ２３ａに押し付ける圧着位置と、駆動ローラ２３ａから引き離された圧着解除位置との間で移動操作する切換操作機構２４と、把持筐体２２そのものを回動操作する姿勢反転機構３０とを備えている。駆動ローラ２３ａと圧着ローラ２３ｂとは１つのローラ対を構成する。姿勢反転機構３０は、ローラ対に挟持された印画紙２が水平姿勢となる第１姿勢と同印画紙２が略鉛直姿勢となる第２姿勢との間で把持筐体２２を回動操作することができる。尚、切換操作機構２４と姿勢反転機構３０の詳細な構造については後に図７を用いて後述する。
【００２４】
（縦搬送装置ＣＶの構成）
縦搬送装置ＣＶは振り分け反転装置ＣＲと共に、縦長の概して直方体状の筐体ＦＰに収納されている。縦搬送装置ＣＶは、振り分け反転装置ＣＲの排出部付近から直線状に上方に向かって延びた主搬送経路Ｒ１と、主搬送経路の上端から湾曲状に延びることで、印画紙２を略水平姿勢で現像処理部ＤＥの導入部に手渡す湾曲搬送経路Ｒ２とを備える。主搬送経路Ｒ１と湾曲搬送経路Ｒ２とはいずれも多数のローラ対と板状ガイドによって構成されている。
直線状の主搬送経路Ｒ１は純粋に鉛直状ではなく、上方に行くほど現像処理部ＤＥから離間するような傾斜姿勢で配置されている。この傾斜姿勢の結果、前後方向（図１における紙面の左右方向）の寸法が小さく制限された筐体ＦＰ内において、上端の湾曲搬送経路Ｒ２に大きな曲率半径を与えることが可能となっている。
【００２５】
（振り分け処理部ＤＢの動作）
図３には振り分け処理部ＤＢ（振り分け反転装置ＣＲ及び縦搬送装置ＣＶ）による印画紙２の処理動作が示されている。印画紙２は、露光装置Ｅｍから振り分け反転装置ＣＲに対して、図の左側から右向きに水平姿勢で供給される。
【００２６】
〈１〉図３（ａ）は、駆動機構２１によって中央寄りの受け取り位置にシフトされている右側の搬送ユニット２０が露光装置Ｅｍから印画紙２を受け取った状態を示す。初め搬送ユニット２０は、把持筐体２２をローラ対が上下に並ぶ第１姿勢に保持し、圧着ローラ２３ｂを圧着解除位置にした状態で受け取り位置にシフトされている。次に、露光装置Ｅｍから印画紙２の先端が送り込まれた後、圧着ローラ２３ｂを圧着位置にすることで、印画紙２を挟持する。尚、受け取り位置では搬送ユニット２０のローラ対２３ａ，２３ｂは左右の略中央に配置されている。左側の搬送ユニット２０は一貫して左端の退避位置に保持されている。
【００２７】
〈２〉次に、図３（ｂ）に示すように、右側の搬送ユニット２０は、姿勢反転機構３０によって把持筐体２２を第２姿勢に向けて反転しながら、駆動機構２１によって右側の振り分け位置に向かって移動を開始する。姿勢反転機構３０による把持筐体２２の反転に際しては、同時に、駆動ローラ２３ａの正転駆動による印画紙２の送り込みが行われる。
〈３〉図３（ｃ）に示すように、右側の搬送ユニット２０が右側の振り分け位置に達した時、把持筐体２２の第２姿勢への反転も完了しているので、印画紙２は略鉛直姿勢となっている。
【００２８】
〈４〉次に、図３（ｄ）に示すように、右側の搬送ユニット２０が振り分け位置に達した後、駆動ローラ２３ａを逆転駆動させることで印画紙２が上方に送り出され、図６に模式的に示すように、縦搬送装置ＣＶへの受け渡しが完了する。尚、この図から判るように、処理効率を高める目的で、右側の搬送ユニット２０からの印画紙２の送り出しが完了する前に、既に左側の搬送ユニット２０が駆動機構２１によって受け取り位置にシフトされている。
〈５〉図４（ａ）に示すように、同様に処理効率を高める目的で、右側の搬送ユニット２０からの印画紙２の送り出しが完了した直後の、未だ右側の搬送ユニット２０が振り分け位置にある間に、左側の搬送ユニット２０によって、露光装置Ｅｍからの次の印画紙２の受け取りが行われる。
【００２９】
このような効率的な処理が可能となるように、図４（ａ２）に例示するように、受け取り位置にある搬送ユニット２０が水平姿勢で挟持中の印画紙２は、振り分け位置にある他方の搬送ユニット２０のローラ対２３ａ，２３ｂとは干渉しないように、ブラケット２０ａの横向き軸心Ｘｂの位置が設定されている。同じ原理で、図３（ｄ）に示すように、振り分け位置にある搬送ユニット２０が未だ印画紙２を把持した状態で、他方の搬送ユニット２０が受け取り位置にシフトされても、前者の印画紙２と後者のローラ対２３ａ，２３ｂとは干渉することがない。
【００３０】
〈６〉次に、図４（ｂ）に示すように、左の搬送ユニット２０が印画紙２を挟持完了するのと略同時に、右の搬送ユニット２０が右端の退避位置に移動操作される。
〈７〉引き続き、図５（ａ）に示すように、左の搬送ユニット２０について、姿勢反転機構３０によって把持筐体２２を第２姿勢に向けて反転しながら、駆動機構２１によって左側の振り分け位置への移動が開始される。この移動の途中では、右の搬送ユニット２０において、次の受け取りのために、姿勢反転機構３０によって把持筐体２２の反転の戻し操作（第２姿勢→第１姿勢）が行われる。
〈８〉図５（ｂ）は左の搬送ユニット２０が左側の振り分け位置へ到着した状態を示す。左の搬送ユニット２０の振り分け位置への到着の直後に、右の搬送ユニット２０の受け取り位置への移動操作が実施される。
【００３１】
以上のように、左右の搬送ユニット２０を交互に駆動させる印画紙２の受け渡し動作の結果、図４に例示するように、縦搬送装置ＣＶは、左右の印画紙２が互いに左右に離間しつつ上下方向でも互い違いに配置された千鳥状レイアウトを保ちながら、多数の印画紙２を同時に現像処理部ＤＥの導入部に向けて効率的に搬送することが可能になる。
このような、左右の搬送ユニット２０の操作シークエンスは、露光処理部ＥＸに設けられた制御部（不図示）が、露光装置Ｅｍによる露光済み印画紙２の出力タイミングと関連付けた形態で実行される。
【００３２】
（振り分け反転装置ＣＲの詳細構造）
振り分け反転装置ＣＲを構成する左右の各搬送ユニット２０どうしは、写真プリント装置の幅方向の中心を通る鉛直面に関して鏡面対称となる実質的に略同じ構造を備える。したがって、以下では右側（図３における紙面手前側）の搬送ユニット２０についてのみ解説する。
【００３３】
図７に示すように、レール１９上に摺動自在に支持された搬送ユニット２０のブラケット２０ａには、把持筐体２２がブラケット２０ａの横向きの軸心Ｘｂ回りで回動自在に支持されている。また、ブラケット２０ａの右端付近にはパルスモータＭ２が固定配置されている。パルスモータＭ２は、以下に詳述するように、ローラ対の回転駆動及び圧着／圧着解除動作の他に把持筐体２２のブラケット２０ａに対する回動操作も兼務可能となっている。
把持筐体２２には印画紙２を把持可能なローラ対２３ａ，２３ｂが支持されている。ローラ対２３ａ，２３ｂは、パルスモータＭ２によって第１軸心Ｘ１回りで回転駆動される駆動ローラ２３ａと、印画紙２を駆動ローラ２３ａに押し付ける圧着位置と、駆動ローラ２３ａから引き離された圧着解除位置との間で変位可能に支持された圧着ローラ２３ｂとからなる。
【００３４】
切換操作機構２４は、圧着ローラ２３ｂを圧着位置と圧着解除位置との間で移動操作するためのもので、軸心Ｘ１と平行な軸心Ｘ２回りで回動自在に支持された揺動ホルダ２５と、揺動ホルダ２５の遊端側に配置された被操作ローラ２５ａを介して、揺動ホルダ２５を揺動操作する圧着操作カム２６（カム部材の一例）とを有する。圧着ローラ２３ｂは、揺動ホルダ２５の、被操作ローラ２５ａと軸心を略共有する位置に回動自在に支持されている。
圧着操作カム２６は駆動ローラ２３ａの回転シャフトに直結されているので、圧着操作カム２６は、駆動ローラ２３ａと共通の駆動源（パルスモータＭ２）によって回動操作されることになる。したがって、パルスモータＭ２は、駆動ローラ２３ａによる印画紙２の送り操作と、圧着ローラ２３ｂを移動操作する切換操作機構２４との双方の共通駆動源として機能する構成となっている。
【００３５】
姿勢反転機構３０は、把持筐体２２そのものをローラ対が鉛直姿勢となる第１姿勢と同ローラ対が略水平姿勢となる第２姿勢との間で回動操作するためのもので、同じくパルスモータＭ２によって回転駆動される反転操作片２７（操作片の一例）と、反転操作片２７による押し操作を受けるために把持筐体２２の一部に配置された被操作棒２８とを有する。反転操作片２７はパルスモータＭ２の回転軸に直結されている。したがって、パルスモータＭ２は、駆動ローラ２３ａと圧着操作カム２６と姿勢反転機構３０との三者の共通駆動源として機能する構成となっている。
【００３６】
より詳細には、把持筐体２２の側面には、把持筐体２２と軸心Ｘｂを共有する横向きの入力軸３１が把持筐体２２に対して相対回転自在に支持ざれている。入力軸３１はパルスモータＭ２の回転駆動軸と直結されているため、パルスモータＭ２の回転駆動軸もまた把持筐体２２と軸心Ｘｂを共有している。入力軸３１には入力ギヤ３２と前述の反転操作片２７とが一体回転するように固着されている。
入力ギヤ３２に伝えられた回転駆動力は、把持筐体２２の側面に別途に回転自在に支持された中間ギヤ３３を介して、圧着ローラ２３ｂの回転軸と一体回転する出力ギヤ３４に伝えられる。被操作棒２８は、揺動ホルダ２５と軸心Ｘ２を略共有するように設けられている。
因みに、本実施形態では、入力ギヤ３２と中間ギヤ３３の歯数の比は３対２、中間ギヤ３３の歯数と出力ギヤ３４の歯数は同数としてある。
【００３７】
切換操作機構２４を構成する圧着操作カム２６は出力ギヤ３４と一体回転するように固定されている。この圧着操作カム２６の外周には、圧着ローラ２３ｂを圧着位置に保持するための小円弧状の第１カム面２６ａと、圧着ローラ２３ｂを圧着解除位置に保持するために第１カム面２６ａの一端から径方向外向きに連続的に延びた第２カム面２６ｂとが形成されている。
姿勢反転機構３０を構成する反転操作片２７は扇形の輪郭形状を備え、この輪郭形状には、把持筐体２２をローラ対２３ａ，２３ｂが鉛直姿勢となる第１姿勢から同ローラ対２３ａ，２３ｂが略水平姿勢となる第２姿勢に反転させるための反転操作面２７ａと、第２姿勢の把持筐体２２を第１姿勢に戻すための復帰操作面２７ｂとが形成されている。
【００３８】
（パルスモータＭ２による動作形態）
図８は、共通する単一のパルスモータＭ２によって操作される、駆動ローラ２３ａによる印画紙２の送り操作と、圧着ローラ２３ｂを移動操作する切換操作機構２４と、把持筐体２２の姿勢を変更する姿勢反転機構３０との動作を示す。
図８（ａ）は、図３（ａ）における右側の搬送ユニット２０の状態と対応している。右側の搬送ユニット２０は受け取り位置にある。真上を向いた圧着操作カム２６の第２カム面２６ｂによって圧着ローラ２３ｂは圧着解除位置に保持されている。他方、把持筐体２２は前述した摩擦制動機構によってローラ対２３ａ，２３ｂが鉛直姿勢となる第１姿勢に保持されている。この時のパルスモータＭ２の位相を初期位相と呼ぶことにする。このように圧着解除位置に保持されたローラ対２３ａ，２３ｂの間に、露光装置Ｅｍの露光ローラ対１７，１８が印画紙２を供給する。
【００３９】
図８（ａ）の状態から、パルスモータＭ２を正転方向に回転駆動させていくと、回転駆動力は、入力ギヤ３２、中間ギヤ３３、出力ギヤ３４の順に伝えられ、出力ギヤ３４と一体の圧着操作カム２６が時計方向に回転するため、第２カム面２６ｂが次第に右側に傾斜する。図８（ｂ）では、遂に圧着操作カム２６の第２カム面２６ｂが横向きとなり、圧着操作カム２６の第１カム面２６ａが被操作ローラ２５ａを支持する圧着姿勢となって印画紙２を圧着挟持し始める。
この状態から、パルスモータＭ２を更に正転方向に回転駆動させていくと、駆動ローラ１７が第１カム面２６ａと一体的に時計方向に回転操作されるので、圧着挟持された印画紙２の露光ローラ対１７，１８による送り操作が行われる。把持筐体２２そのものは未だ第１姿勢のままである。
【００４０】
パルスモータＭ２の正転方向への回転駆動を更に進めると、図８（ｃ）に示すように、反転操作片２７の反転操作面２７ａが被操作棒２８を図の右向きに押し操作し始めるため、図３（ｂ）に示される把持筐体２２の反転が開始される。把持筐体２２の反転時には、露光ローラ対１７，１８による印画紙２の送り操作が継続されている。
パルスモータＭ２の正転方向への回転駆動を更に進めると、把持筐体２２の反転が進み、図８（ｄ）及び図３（ｃ）に示すように、露光ローラ対１７，１８が水平に並び、挟持されている印画紙２が略鉛直状態となる第２姿勢に到達し、把持筐体２２の反転操作が完了する。
尚、図８（ｃ）から図８（ｄ）までの把持筐体２２の反転操作に際しては、略並行的に、右側の搬送ユニット２０が受け取り位置から振り分け位置へと駆動機構２１によって移動操作される。
【００４１】
次に、図８（ｅ）に示すように、右側の搬送ユニット２０を受け取り位置に保持したままで、パルスモータＭ２の逆転方向への回転駆動が行われる。この逆転操作によって駆動ローラ１７が逆転されるので、露光ローラ対１７，１８が圧着挟持中の印画紙２は、図の上方に向かって戻されるため、上方の縦搬送装置ＣＶに送り込まれ、露光ローラ対１７，１８の手を離れる。
尚、パルスモータＭ２の逆転に際しては、反転操作片２７も逆転されるが、把持筐体２２とブラケット２０ａの間には、前述したように、把持筐体２２の自由な回動を規制する摩擦式制動機構が設けられているので、印画紙２の送り込み中も把持筐体２２は第２姿勢に保持されている。また、反転操作片２７の反転操作面２７ａと復帰操作面２７ｂとの間には９０°を超える空白領域が設けられているので、復帰操作面２７ｂによる把持筐体２２の第１姿勢への復帰動作も直ぐには実施されない。
【００４２】
引き続きパルスモータＭ２を逆転すると、遂には図８（ｆ）に示すように、反転操作片２７の復帰操作面２７ｂが被操作棒２８を図の上向きに押し操作し始めるため、把持筐体２２の第１姿勢への復帰動作が開始される。
パルスモータＭ２の逆転を継続すると、図８（ａ）に示すような、把持筐体２２の第１姿勢への復帰が完了し、同時に、圧着操作カム２６の反時計方向への回転に基づいて、圧着ローラ２３ｂは再び圧着解除位置に保持される。この時、パルスモータＭ２の位相は略初期位相に戻されている。
【００４３】
〔別実施形態〕
〈１〉図６（ｅ）の状態における、高速で駆動される縦搬送装置ＣＶによる印画紙２の自由な上方への引き抜きが可能となるように、出力ギヤ３４及び圧着操作カム２６と駆動ローラ１７との間にワンウェイクラッチを設けても良い。
【００４４】
〈２〉縦搬送装置ＣＶ以降での左右２列に振り分けられた搬送に適しない大判印画紙が露光処理部ＥＸから供給される場合には、左右の搬送ユニット２０を受け取り位置に配置したままで、左右の搬送ユニット２０によって大判印画紙を同時に受け取り、姿勢反転機構３０による把持筐体２２の第２姿勢への反転と、その後のパルスモータＭ２の逆転も同時に行うことで、縦搬送装置ＣＶの中央レーンへと送り出す制御が行われる。
【図面の簡単な説明】
【００４５】
【図１】画像処理部Ａとプリント処理部Ｂとを備える写真プリント装置の略図
【図２】プリント処理部Ｂの横搬送装置ＣＨを示す側面図
【図３】振り分け反転装置ＣＲによる一連動作の説明図
【図４】振り分け反転装置ＣＲによる一連動作の説明図
【図５】振り分け反転装置ＣＲによる一連動作の説明図
【図６】振り分け反転装置ＣＲと縦搬送装置ＣＶによる一連動作の説明図
【図７】搬送ユニット２０（右側）の斜視図
【図８】搬送ユニット２０による一連動作の説明図
【符号の説明】
【００４６】
Ａ  画像処理部
Ｂ  プリント処理部
ＣＨ  横搬送装置（露光処理部）
ＣＲ  振り分け反転装置（ペーパー振り分け機構）
ＣＶ  縦搬送装置
ＤＥ  現像処理部
ＤＢ  振り分け処理部
Ｅｍ  露光装置（露光処理部）
ＥＸ  露光処理部
ＦＰ  筐体
Ｍ１，Ｍ２  パルスモータ（駆動源）
Ｒ１  主搬送経路
Ｒ２  湾曲搬送経路
Ｘｂ  第１軸心
２  印画紙（記録媒体）
１６  露光エンジン
１７，１８  露光ローラ対
２０  搬送ユニット
２０ａ  ブラケット
２１Ｐ  タイミングプーリ（シフト機構）
２１Ｂ  タイミングベルト（シフト機構）
２２  把持筐体（挟持ユニット）
２３ａ  駆動ローラ（ローラ対）
２３ｂ  圧着ローラ（ローラ対）
２４  切換操作機構
２５  揺動ホルダ
２５ａ  被操作ローラ
２６  圧着操作カム（カム部材）
２６ａ  第１カム面
２６ｂ  第２カム面
２７  反転操作片（操作片）
２７ａ  反転操作面
２７ｂ  復帰操作面
２８  被操作棒
３０  姿勢反転機構
３１  入力軸
【図１】
2010037039.tif 000003
【図２】
2010037039.tif 000004
【図３】
2010037039.tif 000005
【図４】
2010037039.tif 000006
【図５】
2010037039.tif 000007
【図６】
2010037039.tif 000008
【図７】
2010037039.tif 000009
【図８】
2010037039.tif 000010